(57)【特許請求の範囲】
【請求項１】
ロープを手前側から奥側に懸ける対象物の上に配置される跨ぎ越し部材と、
跨ぎ越し部材に設けられて、跨ぎ越し部材を支持するためのアーム部材を含み、
跨ぎ越し部材は、
対象物の上を跨ぐ方向にロープとロープに取着される錘が移動可能な通路部と、
通路部からロープと錘が外れないように防止する外れ防止部と、
通路部に設けられてロープの案内をするロープガイド部と、
を備え、
通路部は一端側の入口から他端側の出口に掛けて上向きに凸に曲がっており、
ロープガイド部は、通路部の出口へ続く下り勾配に設けられており、
かつ、ロープ挿通用間隙を有し、ロープを挿通して２つ折りに掛けることが可能であるとともに、ロープ挿通用間隙に挿通されたロープの通過移動は許容し、ロープに取り付けられる錘は通過不能に形成されていること、
を特徴とするロープ懸け補助装置。
【請求項２】
通路部の入口側に、錘の通路部への進入を誘導する進入誘導部を設けたこと、
を特徴とする請求項１記載のロープ懸け補助装置。
【請求項３】
ロープを手前側から奥側に懸ける対象物の上に配置される跨ぎ越し部材であって、対象物の上を跨ぐ方向にロープとロープに取着される錘が移動可能な通路部と、通路部からロープと錘が外れないように防止する外れ防止部と、通路部に設けられてロープの案内をするロープガイド部と、を備え、通路部は一端側の入口から他端側の出口に掛けて上向きに凸に曲がっており、ロープガイド部は、通路部の出口へ続く下り勾配に設けられており、かつ、ロープ挿通用間隙を有し、ロープを挿通して２つ折りに掛けることが可能であるとともに、ロープ挿通用間隙に挿通されたロープの通過移動は許容し、ロープに取り付けられる錘は通過不能に形成された跨ぎ越し部材を用意し、
対象物の下方において、ロープを跨ぎ越し部材のロープガイド部のロープ挿通用間隙に通し２つ折りにして入口側ロープ部と出口側ロープ部をともに通路部に載せ、さらに通路部の入口から下方へ垂らすことにより跨ぎ越し部材にロープを掛け、かつ、出口側ロープ部の先端または途中に錘を取着し、
次に、ロープを掛けた跨ぎ越し部材を上方へ持ち上げて、入口側ロープ部と出口側ロープ部を上方へ延ばしていき、跨ぎ越し部材を対象物の上に手前側から奥側に跨ぐように配置し、
次に、入口側ロープ部を引き下げて、出口側ロープ部を錘とともに上昇させていき、錘が跨ぎ越し部材の通路部に入口から入って頂上を過ぎ、ロープガイド部と同じ高さ以下の位置に来るまで移動させ、
錘がロープガイド部と同じ高さ以下の位置に来たところで入口側ロープ部を引き上げて、通路部の出口から対象物の奥側へ落としながら、出口側ロープ部を対象物の奥側の下方へ垂下することにより、ロープを対象物の上に逆Ｕ字状に懸けるようにしたこと、
を特徴とするロープ懸け方法。
【請求項４】
通路部の入口側に、錘の通路部への進入を誘導する進入誘導部を設けたこと、
を特徴とする請求項３記載のロープ懸け方法。
【発明の詳細な説明】
【技術分野】
【０００１】
本発明はロープ懸け補助装置、ロープ懸け方法に係り、とくに手の届かない高所に在る梁、横木、ロープ等の対象物の上にロープを懸ける場合に好適なロープ懸け補助装置、ロープ懸け方法に関する。
【背景技術】
【０００２】
建設現場などで、手の届かない高所に横に渡された梁などの対象物の上にロープを逆Ｕ字状に懸けたい場合がある。従来は、ロープの一端に錘（ウエイト）を取り付け、この錘を対象物の上を横切りながら越えて落下するように投げることで、ロープが対象物の上に懸かるとともに、ロープの両側が対象物から地面に向けて垂れ下がった状態となるようにしていた。
【０００３】
けれども、錘を対象物に向けて投げることは、対象物やその近辺にある部材を損傷する恐れが高かった。また、対象物の近くに障害物があるとき、投げた錘やロープが障害物に邪魔されて落ちて来なくなってしまう恐れがあった。
【発明の概要】
【発明が解決しようとする課題】
【０００４】
本発明は上記した従来技術の問題に鑑みなされたもので、対象物やその近辺にある部材を損傷する恐れがなく、高所にある対象物に確実にロープを懸けることのできるロープ懸け補助装置、ロープ懸け方法を提供することを、その目的とする。
【課題を解決するための手段】
【０００５】
請求項１記載の発明では、
ロープを手前側から奥側に懸ける対象物の上に配置される跨ぎ越し部材と、
跨ぎ越し部材に設けられて、跨ぎ越し部材を支持するためのアーム部材を含み、
跨ぎ越し部材は、
対象物の上を跨ぐ方向にロープとロープに取着される錘が移動可能な通路部と、
通路部からロープと錘が外れないように防止する外れ防止部と、
通路部に設けられてロープの案内をするロープガイド部と、
を備え、
通路部は一端側の入口から他端側の出口に掛けて上向きに凸に曲がっており、
ロープガイド部は、通路部の出口へ続く下り勾配に設けられており、
かつ、ロープ挿通用間隙を有し、ロープを挿通して２つ折りに掛けることが可能であるとともに、ロープ挿通用間隙に挿通されたロープの通過移動は許容し、ロープに取り付けられる錘は通過不能に形成されていること、
を特徴としている。
請求項３記載の発明では、
ロープを手前側から奥側に懸ける対象物の上に配置される跨ぎ越し部材であって、対象物の上を跨ぐ方向にロープとロープに取着される錘が移動可能な通路部と、通路部からロープと錘が外れないように防止する外れ防止部と、通路部に設けられてロープの案内をするロープガイド部と、を備え、通路部は一端側の入口から他端側の出口に掛けて上向きに凸に曲がっており、ロープガイド部は、通路部の出口へ続く下り勾配に設けられており、かつ、ロープ挿通用間隙を有し、ロープを挿通して２つ折りに掛けることが可能であるとともに、ロープ挿通用間隙に挿通されたロープの通過移動は許容し、ロープに取り付けられる錘は通過不能に形成された跨ぎ越し部材を用意し、
対象物の下方において、ロープを跨ぎ越し部材のロープガイド部のロープ挿通用間隙に通し２つ折りにして入口側ロープ部と出口側ロープ部をともに通路部に載せ、さらに通路部の入口から下方へ垂らすことにより跨ぎ越し部材にロープを掛け、かつ、出口側ロープ部の先端または途中に錘を取着し、
次に、ロープを掛けた跨ぎ越し部材を上方へ持ち上げて、入口側ロープ部と出口側ロープ部を上方へ延ばしていき、跨ぎ越し部材を対象物の上に手前側から奥側に跨ぐように配置し、
次に、入口側ロープ部を引き下げて、出口側ロープ部を錘とともに上昇させていき、錘が跨ぎ越し部材の通路部に入口から入って頂上を過ぎ、ロープガイド部と同じ高さ以下の位置に来るまで移動させ、
錘がロープガイド部と同じ高さ以下の位置に来たところで入口側ロープ部を引き上げて、通路部の出口から対象物の奥側へ落としながら、出口側ロープ部を対象物の奥側の下方へ垂下することにより、ロープを対象物の上に逆Ｕ字状に懸けるようにしたこと、
を特徴としている。
請求項２、４記載の発明では、
通路部の入口側に、錘の通路部への進入を誘導する進入誘導部を設けたこと、
を特徴としている。
【発明の効果】
【０００６】
本発明によれば、ロープに取着した錘を投げることなく、手の届かない高所に横に在る梁、横木等の対象物にロープを確実に懸けることができ、対象物やその近辺にある他の部材を損傷する恐れがなくなる。
【図面の簡単な説明】
【０００７】
【図１】本発明に係るロープ懸け補助装置を用いて対象物にロープを懸けた状態を示す説明図である（実施例１）。
【図２】図１中のロープ懸け補助装置の一部省略した外観斜視図である。
【図３】図２の平面図である。
【図４】図２の一部破断した側面図である。
【図５】図２の正面図である。
【図６】図２の背面図である。
【図７】ロープ懸け方法の説明図である。
【図８】ロープ懸け方法の説明図である。
【図９】ロープ懸け方法の説明図である。
【図１０】ロープ懸け方法の説明図である。
【図１１】ロープ懸け方法の説明図である。
【図１２】ロープ懸け方法の説明図である。
【図１３】ロープ懸け方法の説明図である。
【図１４】ロープ懸け方法の説明図である。
【図１５】ロープ懸け方法の説明図である。
【図１６】ロープ懸け方法の説明図である。
【図１７】ロープ懸け方法の説明図である。
【図１８】ロープ懸け方法の説明図である。
【図１９】ロープ懸け方法の説明図である。
【図２０】ロープ懸け補助装置の変形例を示す外観斜視図である。
【図２１】図２０の一部破断した側面図である。
【図２２】図２０の背面図である。
【発明を実施するための最良の形態】
【０００８】
以下、本発明の最良の形態を実施例に基づき説明する。
【実施例１】
【０００９】
図面を参照して本発明に係るロープ懸け補助装置と、それを用いたロープ懸け方法を説明する。図１は本発明に係るロープ懸け補助装置を用いて対象物にロープを懸けた状態を示す説明図、図２は図１中のロープ懸け補助装置の外観斜視図、図３乃至図６は図２の一部破断した側面図、平面図、正面図、背面図である。
図１において、１は高所に横に渡されたロープを掛ける対象物の一例としての梁（縦断面）である。２は梁１の上を跨ぐようにして地上から逆Ｕ字状に懸けられたロープ２である。ロープ２はここでは梁１の右側が入口側ロープ部２ａ、左側が出口側ロープ部２ｂであり、出口側ロープ部２ｂの下端に鋼鉄製の錘３が取着されている。１０はロープ懸け補助装置であり、ロープ２に取り付けた錘３を投げることなく、高所に在る梁１の上にロープ２を逆Ｕ字状に懸けられるようにするためのものである。
【００１０】
ロープ懸け補助装置１０は全体が鋼鉄製であり、図２乃至図６に示す如く、ロープ２を懸ける梁１の上を跨ぐように配置可能に形成された跨ぎ越し部材１１と、跨ぎ越し部材１の基部側（入口側）に設けられて、跨ぎ越し部材１１を支持するアーム部材１２とからなる。図１の場合、アーム部材１２の基端部１２ａが伸縮自在な竿部材１３の先端に着脱自在に装着されており、竿部材１３を手で持って操作することにより、アーム部材１２と一体になった跨ぎ越し部材１１を所望位置へ移動可能になっている。なお、アーム部材１２を竿部材１３と一体としたものとしてもよく、また、竿部材１３に代えて、伸縮式のクレーンアームの先端にアーム部材１２を着脱自在に装着し、クレーンアームの伸縮、旋回等により跨ぎ越し部材１１を所望位置へ移動するようにしても良い。
【００１１】
跨ぎ越し部材１１は、ロープ２を懸ける対象物である梁１の上を跨ぐ方向（図１の紙面左右方向）にロープ２と錘３が摺動して移動可能な通路部１４と、通路部１４からロープ２と錘３が外れないように防止するため、通路部１４を構成する床板１５の左右端部からＬ字状に立ち上がった外れ防止部１６、１７と、通路部１４の出口１４ｂへ続く下り勾配の途中でロープ２の移動方向と直角な左右方向（梁１の延設方向である図１の紙面前後方向、または図４の上下方向）の中央に設けられたロープ２の案内をするロープガイド部１８を備えている。ロープガイド部１８はロープ挿通用間隙（図２の符号２２参照）を有し、ロープ挿通用間隙にロープ２を挿通して２つ折りに掛けることを可能とするとともに、通路部１４の上でロープ２が通過移動する位置を固定する機能を有している。
【００１２】
通路部１４はロープ２が床板１５の上を摺動する方向である図１の右端側の入口１４ａから左端側の出口１４ｂに掛けて上に凸に滑らかに曲げられている。具体的には、図４の右側の入口側端部が山形に湾曲したのち、出口側端部近くまで略直線的な下り勾配の斜面となっており、出口側端部が略円弧状に下方へ曲がっている（図４参照）。通路部１４の入口側端部の床板１５は、入口側から見て左右方向の中央部が斜め下方へ突設されて突設部１９が形成されるとともに、突設部１９と左右のロープ外れ防止部１６、１７の間の床板１５が左右対称に略楕円弧状に切除されて進入誘導部としての切除部２０、２１が形成されている。切除部２０、２１は、錘３が入口１４ａの下方から上昇したとき、床板１５の端縁１５ａに引っ掛かって通録部１４の上に乗れなくなるのを防止し、通路部１４への進入を誘導するためのものである。
【００１３】
ロープガイド部１８は、通路部１４の出口へ続く下り勾配の途中で、左右方向の中央に設けられている。ロープガイド部１８はここでは鋼製のリングキャッチを用いた場合を示すが、カラビナ等の他の種類の部材を用いることもできる。ロープガイド部１８は通路部１４の床板１５の上面に溶接等で固着されており、内部にロープ挿通用間隙の一例としてのロープ通し孔２２が開いている。ロープ通し孔２２はロープ２の直径より大きく形成されており、ロープ２の通過移動は許容する一方、錘３よりは小さく、錘３の通過を阻止する大きさに形成されている。ロープガイド部１８はリングキャッチのゲートナット１８ａを回すことで、ゲート１８ｂを開閉自在になっている。
【００１４】
アーム部１２は、先端側の端部が通路部１４の内、左右方向（梁１の延設方向）の中央において、入口からロープガイド部１８までの間に沿った形状に曲げられるとともに溶接等で通路部１４の床板１５の上面に固着されており、手元側が通路部１４の入口の突設部１９から手前外側の斜め下方へ延設されている。
【００１５】
次に、図１と、図７乃至図１７を参照してロープ懸け補助装置１０を用いたロープ懸け方法を説明する。なお、ここでは、図１に示すように、高所に在る梁１の上に右側から左側へ跨ぐようにして地上から逆Ｕ字状にロープ２を懸ける場合を例に挙げて説明する。
（１）準備作業
梁１の下方の地上において、作業者は巻回されたロープ２を収納したカゴ３０からロープ２の一端側を取り出し、ロープ２の一端側（ここては、後述するように出口側ロープ部２ｂの側）の先端（なお、出口側ロープ部２ｂの途中でも良い）に、錘３を取着する。錘３は上部がお結び形に細くなっており、跨ぎ越し部１材１の床板１５の入口側の端縁（すなわち、通路部１４の入口）に引っ掛かり難い形状になっている（図７参照）。
【００１６】
次に、錘３から見てロープ２の他端寄りの途中部分をロープガイド部１８のゲートナット１８ａを緩めてゲート１８ｂからロープ通し孔２２に通したあとゲートナット１８ａを締めてゲート１８ｂを閉じ、ロープ通し孔２２からロープ２が抜けないようにし、更にロープ２をロープガイド部１８で２つ折りの状態とし、２本のロープ部をロープガイド部１８と通路部１４の入口の間の床板１５に這わせ、更に入口から外側に垂らすことで、ロープ２を跨ぎ越し部材１１に掛ける。この際、錘３は地上に着いた状態としておく（図７参照）。なお、ロープ２はロープ通し孔２２より細くロープ通し孔２２の中を自在に移動できるが、錘３はロープ通し孔２２より大きいためにロープガイド部１８に干渉されて通過不能である。
ロープガイド部１８で２つ折りされた２本のロープ部は、カゴ３０の側が入口側ロープ部２ａとなり、錘３の側が手口側ロープ部２ｂとなる。
なお、ロープ２を先に跨ぎ越し部材１１に掛け、あとで出口側ロープ部２ｂの先端または途中に錘３を取着するようにしても良い。
【００１７】
（２）ロープ懸け補助装置の上昇
梁１の手前側（ここでは図１の右側とする）の下方の地上で、竿部材１３の先端部にロープ懸け補助装置１０のアーム部材１２の基部１２ａを着脱自在に装着する（図８参照）。竿部材１３を上方へ持ち上げ、ロープ懸け補助装置１０を梁１に近づけていき、跨ぎ越し部材１１が梁１のすぐ上に来たところで停止し、梁１の上を横に手前側（図１の右側）から奥側（図１の左側）に跨ぐように配置する（図９参照。この際、跨ぎ越し部材１１を梁１の上に載せても良い）。
平面的に見て通路部１４の入口と出口は各々、梁１の図１における右端より少し右手前の位置と、左端より少し左手前に位置に来るようにする。
【００１８】
ロープ懸け補助装置１０の上昇中、ロープ２の入口側ロープ部２ａの下端側は荷重が掛かっておらず、出口側ロープ部２ｂの下端が錘３により地面に固定されているので、ロープ２が２つ折りされて掛けられたロープガイド部１８の上昇による引き上げ力を受けて、入口側ロープ部２ａは下端側がカゴ３０から引き出されながら上昇し、上端側がロープガイド部１８でＵターンして出口側ロープ部２ｂの側に回ることで、入口側ロープ部２ａ、出口側ロープ部２ｂともに高く上に延びていく。
【００１９】
入口側ロープ部２ａ、出口側ロープ２ｂは自重により地面方向へ引っ張られているので、通路部１４の床板１５に載った状態を保ってロープガイド部１８でＵターンするように移動し、通路部１４の入口から下方へ延びる。但し、入口端部では楕円弧状のに切除部２０、２１に誘導されて左右の外れ防止部１６、１７近くに寄るが、外れ防止部１６、１７により通路部１４から外れるのは阻止される。
【００２０】
（３）錘の引き上げ
次に、地上にいる作業者が錘３の付いていない入口側ロープ部２ａを手で引き下げ、ロープガイド部１８で折り返された出口側ロープ部２ｂを下端に取着された錘３とともに引き上げていく（図１０、図１１参照）。錘３が跨ぎ越し部材１１の入口に差し掛かると、通路部１４の内の入口寄りの端部が上に凸に滑らかに湾曲しており、入口近くが登り勾配になっていることと、通路部１４の入口端縁に楕円弧状に切除された侵入誘導部としての切除部２０、２１が形成されていることから、錘３は切除部２０または２１を乗り越えて、床板１５の端縁から床板１５の上に登り、通路部１４に容易に侵入することができる（図１２参照）。
【００２１】
錘３が通路部１４に侵入後、さらに入口側ロープ部２ａの引き下げを続けると、錘３が通路部１４の頂点を通過したあと（図１３参照）、出口へ続く下り勾配を滑り落ち、ロープガイド部１８と同じ高さか、それ以下の位置に来る（図１４、図１５参照）。若し、まだ入口側ロープ部２ａの引き下げを続けると、今度は下り勾配を逆に登り始めようとするが、錘３はロープガイド部１８のロープ通し孔２２を通過不能なので、ロープ２の移動が出来なくなる。
【００２２】
（４）錘の引き落とし
地上の作業者は、錘３が通路部１４の頂点を通過し、出口へ続く下り勾配を滑り落ちたときの入口側ロープ部２ａを持つ手の感触から錘３がロープガイド部１８と同じ高さ以下の位置に来たことが判るか、または入口側ロープ部２ａの引き下げが不能となったことで、錘３がロープガイド部１８と同じ高さ以下に来たことが判ったならば、今度は、入口側ロープ部２ａを持ち上げて上昇させる。
すると、錘３は通路部１４の下り勾配に従い、床板１５に沿って通路部１４の出口側に降り（図１６参照）、更に梁１の奥側（図１の左側）を通り、地上に向けて下降する（図１７、図１８参照）。錘３の下降中、ロープ２と錘３は跨ぎ越し部材１１に設けられたロープガイド部１８のロープ通し孔２２の中を入口側から出口側に通過するので、通路部１４の出口近くでは左右方向の中央に位置決めされることになり、また、通路部１４の入口から出口まで外れ防止部１６、１７が設けられていることから、ロープ２、錘３の移動中にこれらが通路部１４から外れることはない。
【００２３】
錘３が地上に到達すれば、梁１に対する逆Ｕ字状のロープ懸けが完了する（図１９、図１参照）。このあと、作業の必要に応じて出口側ロープ部２ｂを上昇させたり、下降させたりしたい場合、入口側ロープ部２ａを引き下げさせて出口側ロープ部２ｂを引き上げたり、出口側ロープ部２ｂを引き下げさせて入口側ロープ部２ａを上昇させたりすればよい。
【００２４】
この実施例によれば、ロープ２を手前側から奥側に懸ける梁１の上に配置される跨ぎ越し部材１１であって、梁１の上を跨ぐ方向にロープ２とロープ２に取着される錘３が摺動して移動可能な通路部１４と、通路部１４からロープ２と錘３が外れないように防止する外れ防止部１６、１７と、通路部１４に設けられて、ロープ２をロープ通し孔２４を有するロープガイド部１８と備え、通路部１４は右端の入口１４ａから左端の出口１４ｂに掛けて上向きに凸に滑らかに曲がっており、ロープガイド部１８は通路部１４の出口側へ続く下り勾配に設けられるとともに、ロープ通し孔２４に挿通されたロープ２の通過移動は許容し、ロープ２に取り付けられる錘３は通過不能に形成された跨ぎ越し部材１１と、跨ぎ越し部材１１を支持するアーム部材１２を含むロープ懸け補助装置１０を用意し、対象物である梁１の下方において、ロープ２を跨ぎ越し部材１１のロープガイド部１８のロープ通し孔２２に通し２つ折りにして入口側ロープ部２ａと出口側ロープ部２ｂをともに通路部１４に載せ、さらに通路部１４の入口から下方へ垂らすことにより跨ぎ越し部材１１にロープ２を掛け、かつ、出口側ロープ部２ａの先端または途中に錘３を取着し、次に、ロープ２を掛けた跨ぎ越し部材１１を上方へ持ち上げて、入口側ロープ部２ａと出口側ロープ部２ｂを上方へ延ばしていき、跨ぎ越し部材１１を対象物の梁１の上に手前側から奥側に跨ぐように配置し、次に、入口側ロープ部２ａを引き下げて、出口側ロープ部２ｂを錘３とともに上昇させていき、錘３が跨ぎ越し部材１１の通路部１４に入口から入って頂上を過ぎ、ロープガイド部１８の高さ以下に来るまで移動させ、錘３がロープガイド部１８と同じ高さ以下に来たところで入口側ロープ部２ａを引き上げて、通路部１４の出口から梁１の奥側へ落としながら、出口側ロープ部２ｂを梁１の奥側の下方へ垂下することにより、ロープ２を梁１の上に逆Ｕ字状に懸けるようにしたことにより、ロープ２に取着した錘３を投げることなく、手の届かない高所に横に渡された梁１にロープ２を確実に懸けることができ、梁１やその近辺にある他の部材を損傷する恐れがなくなる。
【００２５】
なお、上記した実施例では、ロープ懸け補助装置、錘を鋼製としたが、ステンレス製、アルミ製などとしても良い。
また、床板の入口端部を楕円弧状に切除した切除部２０、２１により、下方から上昇する錘を通路部の入口内への進入を誘導する進入誘導部を形成するようにしたが、図２０乃至図２２に示すロープ懸け補助装置１０Ａの跨ぎ越し部１１Ａに示す如く、床板１５Ａの入口側端部に部分円錐状の凹部２５、２６を形成し、下方から上昇する錘を通路部１４Ａの入口内への進入を誘導する進入誘導部とするようにしても良い。
また、ロープには、天然繊維、合成繊維、複合繊維などの各種の繊維ロープのほか、金属製やプラスチック製のワイヤロープやストリングワイヤなどを使用することができる。
また、通路部の上でのロープの移動する位置を固定するロープガイド部は、図２の如くトラック形とするほか、リング形、円弧形、多角形枠形とし、ロープ通し孔が円形、扇形、多角形となるようにしても良い。或いは、ロープガイド部をＹ字形、Ｕ字形、Ｖ字形などとし、ロープ挿通用間隙が外部に開口したものとしても良い。要は、ロープ挿通用間隙にロープを挿通して２つの折りに掛けることが可能であって、ロープ挿通用間隙がロープの通過移動は許容する一方、錘の通過移動は阻止するように形成されていれば良い。
【産業上の利用可能性】
【００２６】
本発明は、手の届かない高所に在る梁、横木、ロープ等の対象物の上にロープを懸ける場合に適用可能である。
【符号の説明】
【００２７】
１  梁
２  ロープ
２ａ  入口側ロープ部
２ｂ  出口側ロープ部
３  錘
１０  ロープ懸け補助装置  
１１  跨ぎ越し部
１２  アーム部
１３  竿部材
１４  通路部
１６、１７  外れ防止部
１８  ロープガイド部
２０、２１  切除部
２２  ロープ通し孔
【要約】
【課題】  対象物やその近辺にある部材を損傷する恐れがなく、高所にある対象物に確実にロープを懸けられるようにする。
【課題を解決するための手段】ロープを手前側から奥側に懸ける対象物の上に配置される跨ぎ越し部材１１と、跨ぎ越し部材１１に設けられて、跨ぎ越し部材１１を支持するためのアーム部材１２を含み、跨ぎ越し部材１１は、対象物の上を跨ぐ方向にロープとロープに取着される錘が移動可能な通路部１４と、通路部１４からロープと錘が外れないように防止する外れ防止部１６、１８と、ロープ通し孔２２を有し、ロープを挿通して２つの折りに掛けることが可能なロープガイド部１８と備える。通路部１４は入口から出口に掛けて上向きに凸に曲がっており、ロープガイド部１８は通路部１４の出口へ続く下り勾配に設けられるとともに、ロープ通し孔２２に挿通されたロープの通過移動は許容し、ロープに取り付けられる錘は通過不能に形成されている。
【選択図】      図２【図１】
0006867727.tif 000002
【図２】
0006867727.tif 000003
【図３】
0006867727.tif 000004
【図４】
0006867727.tif 000005
【図５】
0006867727.tif 000006
【図６】
0006867727.tif 000007
【図７】
0006867727.tif 000008
【図８】
0006867727.tif 000009
【図９】
0006867727.tif 000010
【図１０】
0006867727.tif 000011
【図１１】
0006867727.tif 000012
【図１２】
0006867727.tif 000013
【図１３】
0006867727.tif 000014
【図１４】
0006867727.tif 000015
【図１５】
0006867727.tif 000016
【図１６】
0006867727.tif 000017
【図１７】
0006867727.tif 000018
【図１８】
0006867727.tif 000019
【図１９】
0006867727.tif 000020
【図２０】
0006867727.tif 000021
【図２１】
0006867727.tif 000022
【図２２】
0006867727.tif 000023